(57)【特許請求の範囲】
【請求項１】
検体を自動的に分析する装置と、装置を操作するための操作画面を備え、且つ分析項目毎にキャリブレーション又は精度管理を行う必要が発生したことをオペレータに知らせる機能を有する自動分析装置において、
前記キャリブレーション又は前記精度管理の実施予定を立てるための実施予測論理を装置内に複数保持するとともに、そのうちのオペレータが選択した単独もしくは複数の論理に基づいて実施スケジュール表を自動的に作成・表示する機能を有し、
前記キャリブレーション又は前記精度管理の実施をスケジュール表に記載するための実施予測論理の一つとして、入力されたＮとＭの値を利用して、装置がパラメータとして保持する一定の閾値と精度管理結果を比較し、最新の精度管理結果から過去に遡ってＮ回中Ｍ回前記閾値を超える場合はキャリブレーションの実施を推奨することを特徴とする自動分析装置。
【請求項２】
請求項１記載の自動分析装置において、
前記キャリブレーション又は前記精度管理の実施予定を立てるための実施予測の一手段として、試薬の残量又は有効期限をもとに、現在使用している試薬から新しい試薬に切り替わる時期を予測し、試薬切り替わり時に前記キャリブレーション又は前記精度管理を行うことをスケジュール表に入れる機能を有することを特徴とする自動分析装置。
【請求項３】
請求項１記載の自動分析装置において、
前記キャリブレーション又は前記精度管理の実施予定を立てるための実施予測の一手段として、前回のキャリブレーション実施時刻と当該キャリブレーション実施間隔とから次回以降のキャリブレーション実施時刻を特定することにより、前記キャリブレーション及びそれに同期して実施する前記精度管理をスケジュール表に入れる機能を有することを特徴とする自動分析装置。
【請求項４】
請求項１記載の自動分析装置において、
前記精度管理の実施予定を立てるための実施予測の一手段として、前回の精度管理実施時刻と精度管理実施間隔とから次回以降の精度管理実施時刻を特定し、当該精度管理実施時刻をスケジュール表に入れる機能を有することを特徴とする自動分析装置。
【請求項５】
請求項１記載の自動分析装置において、
前記精度管理の実施をスケジュール表に記載するための実施予測論理の一つとして、装置がパラメータとして保持するキャリブレーション後の自動精度管理実施要否の設定パラメータを利用してキャリブレーション直後の精度管理の実施をスケジュール表に入れる機能を有することを特徴とする自動分析装置。
【請求項６】
請求項１記載の自動分析装置において、
前記キャリブレーション又は前記精度管理の実施必要時期をオペレータが独自に判断し、手動で前記スケジュール表の内容を追加・削除・編集することを可能としたことを特徴とする自動分析装置。
【発明の詳細な説明】
【技術分野】
【０００１】
本発明は、生体試料の成分を分析する自動分析装置に係り、自動分析装置におけるキャリブレーション及び精度管理の効率的な運用、管理に関するものである。
【背景技術】
【０００２】
血液や尿等の生体試料を試薬を用いて分析する自動分析装置においては、分析開始時、もしくは分析処理中各試薬に応じて定まる所定時間毎に、あるいは分析処理中の必要に応じて、検量線校正操作であるキャリブレーションや自動分析装置が良好な状態を保つための精度管理を行う必要がある。
【０００３】
キャリブレーションや精度管理を実施すべき要因としては、キャリブレーションや精度管理を一定の周期で実行させるための所定時間の経過、試薬のボトルの切り替え、測定失敗時の再測定などがある。
【０００４】
キャリブレーションは、各項目に応じて定められた濃度の標準液を用いて行なわれる。キャリブレーションや精度管理には各分析項目に応じた有効期限がある。このため有効期限を過ぎると再キャリブレーションや再精度管理を行わなければならない、また各分析項目において、一つの試薬ボトルの試薬を使いきり、新しい試薬ボトルの試薬を使う場合にも再キャリブレーションや再精度管理を行わなければならない。
【０００５】
従来の自動分析装置では、前述の各試薬に応じて定まる所定時間や、有効期限、新しい試薬ボトルへの切り替え等を装置が自動的に検知し、オペレータにキャリブレーションや精度管理の実施が必要なことを知らしめる機能を有している（特許文献１参照）。こうした機能は、ある時点で即時キャリブレーションや精度管理検体分析が必要かどうかを分析項目毎に示す有効な技術であるが、いずれの要因に対してもユーザが実施要否を知ることができるのはそれが間近に迫った時である。将来の一定期間に対し、キャリブレーションや精度管理の必要性を予測し、分析予定を立てる手段はなかった。このためユーザにとっては、キャリブレーション用の標準試料や、精度管理用のコントロール検体、及びこれらを分析するための試薬等の事前準備や在庫管理を行うことが難しかった。
【特許文献１】特開２００６−５３１６４号公報
【発明の開示】
【発明が解決しようとする課題】
【０００６】
そこで、キャリブレーションや精度管理の現時点での実施要否だけでなく、将来に対する実施予定を容易に知ることができれば検査室等のユーザ施設において装置や試薬の効率的な運用が期待できる。
【０００７】
本発明の目的は、キャリブレーションや精度管理の実施に対し、実施直前だけでなく、将来の一定期間における実施を予測し、スケジュール表を作成・表示することで、ユーザが試料や試薬の事前準備や在庫管理を効率的に行うことができるシステムを提供することにある。
【０００８】
本発明のもうひとつの目的は、スケジュール表を作成するためのキャリブレーションや精度管理の実施予測論理を複数提示し、それらのうちの単独もしくは複数をユーザが選択可能とし、さらに作成されたスケジュール表を手動でも編集可能とすることで、それぞれのユーザ施設の運用形態に適したスケジュール表を作成することができるシステムを提供することにある。
【課題を解決するための手段】
【０００９】
本発明による自動分析装置は、キャリブレーションや精度管理を実施すべき要因である、キャリブレーションや精度管理一定の周期で実行させるための所定時間の経過や試薬のボトルの切り替えを自動的に検知できることを特徴とする。
【００１０】
自動分析装置の操作画面に、キャリブレーション及び精度管理実施スケジュール表を表示する画面を設ける。このスケジュール表は分析項目毎に将来の一定期間、例えば現時点から一ヶ月後までのキャリブレーション又は精度管理実施予定を示すスケジュール表である。このスケジュール表はユーザの必要に応じて帳票や各種メディアに出力可能とする。また別の画面にスケジュール表作成のためのキャリブレーション及び精度管理の実施推定方法を選択する画面を設ける。
【００１１】
キャリブレーション及び精度管理の実施推定方法の例としては、下記のようなものが挙げられる。
（１）試薬ボトルの切り替えによるもの。
各項目を分析するための試薬には有効期限がある。試薬が期限切れになると、新しい試薬ボトルに切り替える必要が生じる。また、あるボトルの試薬の残量と分析依頼予定数から当該ボトルの試薬を使いきり、新しい試薬ボトルへの切り替え時期が予測できる。試薬ボトルが切り替わると新しい試薬ボトルに対するキャリブレーション及び精度管理が必要になる。即ち、試薬の切り替え時期からキャリブレーション及び精度管理の実施が必要な時期が予測できるので、これをスケジュール表に書き込む。
（２）測定間隔パラメータによるもの。
自動分析装置には、キャリブレーション及び精度管理を自動的且つ周期的に行わせるための、測定間隔をパラメータとして保持している。これを利用することにより前回のキャリブレーション及び精度管理の実施時刻と測定間隔から、次回以降の実施時刻を特定できるので、その時刻をスケジュールする。
（３）過去の精度管理データのトレンドから実施を推奨するもの。
自動分析装置の機能として、精度管理が失敗した場合、再キャリブレーションと再精度管理を指示するものがある。精度管理の失敗とは、精度が測定できなかった、あるいは測定された精度が所定の精度を保っていない状態をいう。この場合、過去の精度管理データのログを調べると失敗にまでは至らなかったデータでも、結果の値が徐々にドリフトしている傾向を示す場合がある。このことから、項目毎にある閾値を設けておき、例えば過去Ｎ回のデータのうちＭ回のデータが閾値を超えた場合、キャリブレーションの実施を推奨する機能を設け、これをスケジュール表に書き込む。
（４）キャリブレーション実施後の再精度管理実施によるもの。
キャリブレーションを行った直後に必ず再精度管理を実施するか否かを項目毎に装置にパラメータとして記憶することができる。このパラメータを利用し、既に予定されているキャリブレーション実施に連続して精度管理の予定をスケジュール表に書き込む。
ユーザは以上（１）〜（４）の実施推定方法のうち一つ又は複数を選択でき、選択した方法に従ってスケジュール表を作成することができる。
更に、本発明による自動分析装置では、スケジュール表をユーザが編集可能とし、ユーザ独自の判断でキャリブレーションや精度管理の実施の予定を追加したり変更したりすることができるようにする。
【発明の効果】
【００１２】
本発明の自動分析装置によれば、ユーザは、将来の一定期間にわたる分析項目毎のキャリブレーション及び精度管理実施予定を示すスケジュール表を得ることができる。これにより、各ユーザ施設において日付毎の分析スケジュールの立案や検査技師のアサインを適切に行うことができるようになる。またキャリブレーションや精度管理に必要な試料や試薬の事前準備や在庫管理を効率的に行うことが可能である。
【００１３】
また、過去の精度管理データのトレンドを調べ、その結果から早めにキャリブレーションの実施を推奨しその実施予定をスケジュール表に追加する機能により、精度管理の失敗による試料や試薬の無駄使い及び装置の運用効率の低下を防ぐことができる。
【００１４】
更に、スケジュール表をユーザが編集できる機能を活用することにより、装置が自動的に検知することが難しい部品の交換時やメンテナンスの実施時に、ユーザの判断でキャリブレーション及び精度管理実施をスケジュール表に追加することができるため、各施設の運用条件に適したスケジュール表を作成することが可能となる。
【発明を実施するための最良の形態】
【００１５】
図２は自動分析装置の原理的な装置構成図である。図２において２−１は反応ディスクであり、反応ディスク２−１の外周上には反応容器２−２が設けられている。反応ディスク２−１全体は保温槽２−３によって所定の温度に保持されている。
【００１６】
２−５は検体を設置するサンプルディスク機構であり、この機構にはバーコード２−６を貼り付けた多数の検体の試験管が設置されている。バーコードを貼付けした試験管内の検体はピペッティング機構２−７のノズル２−８によって適宜に抽出され、検体分注位置の反応容器２−２に注入される。２−９Ａと２−９Ｂはバーコードラベル付きの試薬ボトルが設置された試薬ディスク機構であり、各試薬ディスク機構２−９Ａ，２−９Ｂ毎にバーコード読み取り装置２−２７が付属しており試薬登録時にバーコードを読み込みポジションに対応した試薬ボトル情報を登録する。また各々試薬ディスクには試薬ピペッティング機構２−１０が設置されている。試薬ディスク機構２−９Ａ，２−９Ｂに近接されて配置された２−１１は撹拌機構である。２−１２は多波長光度計、２−１３は光源であり、多波長光度計２−１２と光源２−１３との間に測光の対象を収容する反応容器２−２が配置されている。２−１４は洗浄機構である。制御系及び信号処理系について、２−１５はマイクロコンピュータ、２−１６はインターフェイス、２−１７はＬｏｇ（対数）変換器、２−１８はＡ／Ｄ変換器、２−１９は試薬分注機構、２−２０は洗浄水ポンプ、２−２１はサンプル分注機構である。また、２−２２は印字のためのプリンタ、２−２３は操作画面としてのＣＲＴ、２−２４は記憶装置としてのハードディスク、２−２５は入力するための操作パネル（キーボード、あるいはタッチスクリーンやマウス等のポインティングデバイス）である。
【００１７】
図２でバーコードを貼付けした試験管に入れられた検体は、操作画面２−２３より入力された、マイクロコンピュータ２−１５内のメモリに記憶されている分析パラメータに従って、検体ピペッティング機構２−７のノズル２−８を用いて反応容器２−２に所定量分注される。
【００１８】
次に、検体が分注された反応容器２−２を、反応ディスク２−１を回転させ試薬分注位置へ移送する。その後、マイクロコンピュータ２−１５内に記憶されている分析パラメータに従い、試薬ピペッティング機構２−１０のノズルを用いて、試薬を検体が分注された反応容器２−２へ所定量分注する。その後、撹拌機構２−１１で検体と試薬との撹拌が行われ、混合される。
【００１９】
反応容器２−２が、測光位置を横切る時、多波長光度計２−１２により吸光度が測光される。測光された吸光度は、Ｌｏｇ変換２−１７，Ａ／Ｄ変換器２−１８，インターフェイス２−１６を経由して、マイクロコンピュータ２−１５に取り込まれる。この吸光度は、あらかじめ項目毎に指定された分析法で測定しておいた標準試料液の吸光度から作成した検量線に基づき、濃度データに変換される。この測定された成分濃度データは、プリンタや画面に出力される。
【００２０】
操作者は測定に必要な種々のパラメータ設定、検体の登録、試薬の登録、分析結果の確認、そして装置のメンテナンスなどを操作画面２−２３で行う。以上の測定原理の自動分析装置における、本発明の実施例を以下に説明する。
【実施例１】
【００２１】
本発明の一実施形態であるキャリブレーション・精度管理スケジュール表示画面を図１に示した。本画面は操作画面２−２３上に表示される諸画面の一つとする。１−１は現在の時刻を示す時刻表示エリア、１−２はスケジュール表示の対象となるスケジュール期間入力エリア、１−３はその期間内のスケジュール表を当該画面に表示させることを装置に指示するため表示ボタンである。オペレータが１−２のスケジュール期間を入力後、１−３の表示ボタンを押すことにより、１−４に示されるスケジュール表を表示する。スケジュール表内の１−５はキャリブレーションもしくは精度管理の実施予定日時、１−６は分析項目、１−７は、キャリブレーションか精度管理かを示す実施種別を表す。１−８はキャリブレーションや精度管理がなぜ予定されたのかを示す実施理由の表示エリアである。１−９にタイプとして、キャリブレーションの場合リニアやブランクなどのキャリブレーションのタイプを表示する。ここで、リニアとは２本以上の濃度の異なる標準試料を用いて、直線検量線を求める方式、ブランクとは、濃度ゼロの標準試料一本のみを用い、既作成の検量線のブランク補正のみを行う方式である。精度管理の場合は、測定に用いるコントロール検体の種類を表示する。１−１０はスクロールバーであり、表示項目数が多く、一画面に表示しきれない場合スクロールさせて表示させるためのものである。
【００２２】
１−１１は、オペレータが手動でスケジュールを追加するための追加ボタンであり、この機能については後述する。１−１２は本画面表示を終了し、前の画面に戻るためのボタンである。
【実施例２】
【００２３】
次に、スケジュール表を作成するためのキャリブレーションと精度管理実施予測論理をオペレータが選択するためのスケジュール表作成方法選択画面を図３を用いて説明する。３−１はキャリブレーションの実施を予測してスケジュール表を作成する方法の一覧、３−２は一覧に示された方法のうちどの方法を用いてスケジュール表を作成するかを選択するためのチェックボックスである。オペレータは１つ又は複数の方法を選択することができ、装置は選択された方法を用いてキャリブレーションの実施を予測し、スケジュール表を作成する。同様に３−３、３−４は精度管理に関するスケジュール表を作成する方法の一覧と選択ボタンである。オペレータは３−２及び３−４の選択ボタンで任意の方法を選択した後、３−５の更新ボタンを押せば、選択した内容が記憶装置に保存され、装置はこれに従いスケジュール表を作成する。また、３−６のキャンセルボタンを押せば選択した内容はキャンセルされ、前の画面に戻る。
【実施例３】
【００２４】
次に選択されたスケジュール作成方法を用いて装置がスケジュール表を作成するための処理フローを図４及び図５に示す。装置は、図３のスケジュール表作成方法選択画面でオペレータが選択した方法に従ってスケジューリングを行う。図４に示すフローにおいて、ステップ４−１でキャリブレーション試薬ボトル選択があるかを判定し、あればステップ４−２の試薬ボトル切替えによるキャリブレーション実施計画処理へ進み、なければステップ４−３へ進む。ステップ４−３で精度管理試薬ボトル切替えの選択があるかを判定し、あればステップ４−４の試薬ボトル切替えによる精度管理実施計画処理へ進み、なければステップ４−５へ進む。ステップ４−５でキャリブレーション定期実施の選択があるかを判定し、あればステップ４−６の測定間隔パラメータによるキャリブレーション実施計画処理へ進み、なければステップ４−７へ進む。ステップ４−７で精度管理試薬定期実施選択があるかを判定し、あればステップ４−８の測定間隔パラメータによる精度管理実施計画処理へ進み、なければステップ５−１（図５）へ進む。
【００２５】
図５に示すフローにおいて、ステップ５−１でキャリブレーション精度管理トレンドの選択があるかを判定し、あればステップ５−２の精度管理トレンドによるキャリブレーション実施計画処理へ進み、なければステップ５−３へ進む。ステップ５−３で精度管理キャリブレーション実施の選択があるかを判定し、あればステップ５−４のキャリブレーション実施後の精度管理実施計画処理へ進み、なければ終了する。以上のフローを装置に登録されている分析項目の数分繰り返し、全項目に対するスケジューリングを行う。
【００２６】
次に図４及び図５の処理フロー内に示した、個々の実施計画処理の詳細を図６以降に示す。図６に試薬ボトル切替えによるキャリブレーション実施計画処理のフローチャートを示す。ステップ６−１で当該分析項目の試薬切替え時のキャリブレーションタイプパラメータを記憶装置から読み出す。ステップ６−２で当該分析項目の試薬の有効期限パラメータを記憶装置から読み出す。ステップ６−３で当該分析項目の試薬の有効期限が切れる日時と試薬切替え時のキャリブレーションタイプをスケジュール表に追加し、記憶装置に書き込む。ステップ６−４で当該分析項目の分析依頼数を記憶装置から読み出す。ステップ６−５で当該分析項目の試薬残量を記憶装置から読み出す。１分析依頼に対して使用する試薬量が判っているので、ステップ６−６で当該分析項目の試薬残量と分析依頼数から試薬ボトルの切り替え日時を計算する。ステップ６−７で当該分析項目の試薬切替え日時と試薬切替え時のキャリブレーションタイプをスケジュール表に追加し、記憶装置に書き込む。
【００２７】
次に、図７に試薬ボトル切替えによる精度管理実施計画処理のフローチャートを示す。ステップ７−１で当該分析項目の試薬切替え時の精度管理用検体の種類を記憶装置から読み出す。ステップ７−２で当該分析項目の試薬の有効期限パラメータを記憶装置から読み出す。ステップ７−３で当該分析項目の試薬の有効期限が切れる日時と試薬切替え時の精度管理用検体の種類をスケジュール表に追加し、記憶装置に書き込む。ステップ７−４で当該分析項目の分析依頼数を記憶装置から読み出す。ステップ７−５で当該分析項目の試薬残量を記憶装置から読み出す。ステップ７−６で当該分析項目の試薬残量と分析依頼数から試薬ボトルの切り替え日時を計算する。ステップ７−７で当該分析項目の試薬の切替え日時と試薬切替え時の精度管理用検体の種類をスケジュール表に追加し、記憶装置に書き込む。
【００２８】
次に、図８に測定間隔パラメータによるキャリブレーション実施計画処理のフローチャートを示す。ステップ８−１で当該分析項目のキャリブレーション定期実施時のキャリブレーションタイプパラメータを記憶装置から読み出す。ステップ８−２で当該分析項目のキャリブレーション定期実施の測定間隔パラメータを記憶装置から読み出す。ステップ８−３で当該分析項目の前回のキャリブレーション実施日時を記憶装置から読み出す。ステップ８−４で当該分析項目の前回のキャリブレーション実施日時と測定間隔から次回以降のキャリブレーション実施日時を計算する。ステップ８−５で計算した次回以降のキャリブレーション実施日時と定期実施時のキャリブレーションタイプパラメータをスケジュール表に追加し、記憶装置に書き込む。
【００２９】
次に、図９に測定間隔パラメータによる精度管理実施計画処理のフローチャートを示す。ステップ９−１で当該分析項目の精度管理定期実施時の精度管理用検体の種類を記憶装置から読み出す。ステップ９−２で当該分析項目の精度管理定期実施の測定間隔パラメータを記憶装置から読み出す。ステップ９−３で当該分析項目の前回の精度管理実施日時を記憶装置から読み出す。ステップ９−４で当該分析項目の前回の精度管理実施日時と測定間隔から次回以降の精度管理実施日時を計算する。ステップ９−５で計算した次回以降の精度管理日時と定期実施時の精度管理用検体の種類をスケジュール表に追加し、記憶装置に書き込む。
【実施例４】
【００３０】
次に、精度管理結果のトレンドによりキャリブレーション実施を計画する処理について説明する。図１０は累積精度管理データ表示画面の例である。１０−１は項目名選択のプルダウンメニューであり、メニューを開くと装置に登録されている分析項目の一覧を表示し、オペレータはそのうちの一つを選択できる。１０−２は選択した分析項目に対する累積のデータ数及び精度管理用検体の基準となる平均値及びＳＤ（標準偏差）を表示するエリアである。１０−３は精度管理データをグラフ表示するための表示エリアであり、横軸１０−４は精度管理累積測定回数、縦軸１０−５は測定濃度で基準の平均値やＳＤ値に基づいた目盛りを表示する。１０−６は選択した分析項目の精度管理測定結果をプロットし、トレンドを示したものである。１０−７の戻るボタンにより表示を終了し前の画面に戻ることができる。
【００３１】
次に、図１１に精度管理トレンドによるキャリブレーション実施パラメータを示す。１１−１の項目エリアに装置に登録されている分析項目の一覧を表示し、１１−２実施しき値（閾値）は、キャリブレーションを実施するかどうかを判定する閾値をオペレータが入力するエリアである。１１−３は、キャリブレーションを実施するための判定論理をオペレータが入力するエリアである。これは最新の精度管理結果から過去に遡ってＮ回中Ｍ回閾値を超えたらキャリブレーションを実施するためのＮとＭの値をオペレータが入力するエリアである。ＮとＭはオペレータが自由に決められるため、例えば一度でも閾値を超えたら実施という場合にはＮ＝１、Ｍ＝１とし、３回連続で閾値を超えたら実施という場合にはＮ＝３、Ｍ＝３とし、３回測定において多数決で決めるという場合にはＮ＝３、Ｍ＝２とするなど、オペレータが自由に論理を設定できる。１１−４は実施するキャリブレーションのタイプをプルダウンメニューでオペレータが選択するエリアである。１１−５はスクロールバーであり、装置に登録されている分析項目が一画面で表示しきれない場合にスクロールさせて表示する。オペレータが入力した内容は１１−６の更新ボタンにより記憶装置に保存することができ、１１−７のキャンセルボタンを押した場合には保存せずに前の画面に戻る。
【００３２】
以上、図１０及び１１に示した画面の内容に基づく、精度管理トレンドによるキャリブレーション実施計画のフローチャートを図１２に示す。ステップ１２−１で当該分析項目の精度管理トレンドによるキャリブレーション実施パラメータを記憶装置から読み出す。ステップ１２−２で当該分析項目の過去の精度管理結果を記憶装置から読み出す。ステップ１２−３で当該分析項目の精度管理トレンドによるキャリブレーション実施パラメータを過去の精度管理結果に適用し、キャリブレーション実施条件に当てはまるか判定する。ステップ１２−４でキャリブレーション実施条件に当てはまる場合、即時キャリブレーシを行うよう日時とキャリブレーションタイプをスケジュールし、記憶装置に書き込む。
【実施例５】
【００３３】
次に、図１３にキャリブレーション実施後の精度管理実施計画処理のフローチャートを示す。ステップ１３−１で当該分析項目のキャリブレーション後の自動精度管理実施のパラメータを記憶装置から読み出す。ステップ１３−２で当該分析項目がキャリブレーション後の自動精度管理実施要の場合スケジュール表内の当該分析項目のキャリブレーション実施直後に精度管理実施を追加し記憶装置に書き込む。
【実施例６】
【００３４】
更に本発明ではキャリブレーション及び精度管理実施必要時期をオペレータが独自に判断し、手動でスケジュール表の内容を追加・削除・編集することが可能である。これは、装置が自動的に検知することが難しい部品の交換時やメンテナンスの実施時に、ユーザの判断でキャリブレーション及び精度管理実施をスケジュール表に追加したい場合などに特に有効である。一例としてスケジュール表への手動での追加の方法を図１及び図１４を用いて説明する。図１におけるキャリブレーション・精度管理スケジュール画面における１−１１追加ボタンを押すと、同画面上に図１４に示すキャリブレーション・精度管理予定追加ウインドウ１４−１を表示する。１４−２は追加する実施予定日時の入力エリア、１４−３は項目選択メニューで装置に登録されている分析項目の一覧を表示しオペレータが任意の１項目を選択できるのに加え、全項目を一括して選択できるようにする。１４−４の種別選択メニューでキャリブレーションか精度管理を選択する。１４−５の実施理由入力エリアにはキャリブレーションもしくは精度管理を計画する理由を文字列でオペレータが任意に入力できる。１４−６タイプ選択メニューでキャリブレーションの場合はリニア・ブランクなどの検量線作成方式、精度管理の場合には測定に用いるコントロール検体の種類を選択できる。オペレータが１４−７追加ボタンを押すと、入力した内容がスケジュール表に追加され、記憶装置に保存される。１４−８キャンセルボタンを押すと保存せずに図１のキャリブレーション・精度管理スケジュール表画面に戻る。
【図面の簡単な説明】
【００３５】
【図１】本発明による自動分析装置の一実施形態におけるキャリブレーション・精度管理スケジュール画面の一例を示す図である。
【図２】本発明による自動分析装置の一実施形態と操作画面からなる概略システム構成図である。
【図３】本発明による自動分析装置の一実施形態におけるキャリブレーション・精度管理実施スケジュール表作成方法選択画面の一例を示す図である。
【図４】本発明による自動分析装置のキャリブレーション・精度管理実施スケジュール作成処理を示すフローチャートである。
【図５】本発明による自動分析装置のキャリブレーション・精度管理実施スケジュール作成処理を示すフローチャートである。
【図６】試薬ボトルの切り替え時期によるキャリブレーション実施をスケジュールする方法を示すフローチャートである。
【図７】試薬ボトルの切り替え時期による精度管理実施をスケジュールする方法を示すフローチャートである。
【図８】測定間隔パラメータによるキャリブレーション実施をスケジュールする方法を示すフローチャートである。
【図９】測定間隔パラメータによる精度管理実施をスケジュールする方法を示すフローチャートである。
【図１０】本発明による自動分析装置の一実施形態における累積精度管理結果表示画面の一例を示す図である。
【図１１】過去の精度管理データのトレンドからキャリブレーション実施をスケジュールするためにユーザが閾値等のパラメータを設定する画面の一例を示す図である。
【図１２】過去の精度管理データのトレンドからキャリブレーション実施をスケジュールする方法を示すフローチャートである。
【図１３】キャリブレーション実施後の精度管理実施をスケジュールする方法を示すフローチャートである。
【図１４】本発明による自動分析装置の一実施形態におけるキャリブレーションスケジュール表画面上でユーザが手動で予定を追加するための予定追加ウインドウの一例を示す図である。
【符号の説明】
【００３６】
２−１  反応ディスク                  ２−２  反応容器
２−３  保温層                        ２−４  反応ディスク回転機構
２−５  サンプルディスク              ２−６  バーコードラベル付き検体
２−７  検体ピペッティング機構        ２−８  検体ピペッティング機構ノズル
２−９  試薬ディスク                  ２−１０  試薬ピペッティング機構
２−１１  攪拌機構                    ２−１２  多波長光度計
２−１３  光源                        ２−１４  洗浄機構
２−１５  マイクロコンピュータ        ２−１６  インターフェイス
２−１７  Ｌｏｇ変換器                ２−１８  Ａ／Ｄ変換器
２−１９  試薬分注機構                ２−２０  洗浄水ポンプ
２−２１  サンプル分注機構            ２−２２  プリンタ
２−２３  ＣＲＴ                      ２−２４  ハードディスク
２−２５  操作パネル                  ２−２６  検体バーコード読み取り装置
２−２７  試薬バーコード読み取り装置  ２−２８  検体ピペッティングノズル
２−２９  公衆回線網                  ２−３０  リモートコンピュータ
【図１】
0004977634.tif 000002
【図２】
0004977634.tif 000003
【図３】
0004977634.tif 000004
【図４】
0004977634.tif 000005
【図５】
0004977634.tif 000006
【図６】
0004977634.tif 000007
【図７】
0004977634.tif 000008
【図８】
0004977634.tif 000009
【図９】
0004977634.tif 000010
【図１０】
0004977634.tif 000011
【図１１】
0004977634.tif 000012
【図１２】
0004977634.tif 000013
【図１３】
0004977634.tif 000014
【図１４】
0004977634.tif 000015